(57)【要約】【課題】ユーザの満足度の高い経路検索を行うこと。【解決手段】携帯端末１は、経路設定処理部５２と、経路検索部５３と、を備える。経路設定処理部５２は、対象者の感情情報又はストレス情報、及び該感情情報又はストレス情報に対応する位置情報を取得する。経路設定処理部５２は、感情情報に対応する位置情報を取得する。経路検索部５３は、経路設定処理部５２によって取得された感情情報又はストレス情報と、位置情報とに基づいて、所定の経路を検索する。【選択図】図３
2017181449.tif 000002
【特許請求の範囲】
【請求項１】
対象者の感情情報又はストレス情報、及び該感情情報又はストレス情報に対応する位置情報を取得する第１の取得手段と、
前記第１の取得手段によって取得された前記感情情報又はストレス情報と前記位置情報とに基づいて、所定の経路を検索する検索手段と、
を備えることを特徴とする電子機器。
【請求項２】
前記第１の取得手段は、センサから取得したセンサ情報に基づいて前記感情情報又はストレス情報を取得する、
ことを特徴とする請求項１に記載の電子機器。
【請求項３】
前記感情情報又はストレス情報、及び前記位置情報のいずれかに対応する取得タイミング情報を取得する第２の取得手段を更に備え、
前記検索手段は、前記第１の取得手段によって取得された前記感情情報又はストレス情報と、前記位置情報と、前記第２の取得手段により取得された前記取得タイミング情報とに基づいて、所定の経路を検索する、
ことを特徴とする請求項１又は２に記載の電子機器。
【請求項４】
出発地点、及び目的地点を取得する第３の取得手段と、
前記検索手段は、前記第１の取得手段によって取得された前記感情情報又はストレス情報と、前記位置情報と、出発地点、及び目的地点とに基づいて、前記所定の経路を検索する、
ことを特徴とする請求項１乃至３の何れか１項に記載の電子機器。
【請求項５】
前記第３の取得手段により取得される出発地点、及び目的地点に基づいて移動時間を算出する算出手段を更に備え、
前記検索手段は、前記第１の取得手段によって取得された前記感情情報又はストレス情報と、前記位置情報と、前記算出手段により算出された前記移動時間とに基づいて、前記所定の経路を検索する、
ことを特徴とする請求項４に記載の電子機器。
【請求項６】
経路に関連する情報を取得する第４の取得手段を更に備え、
前記検索手段は、前記第１の取得手段によって取得された前記感情情報又はストレス情報と、前記位置情報と、前記第４の取得手段により取得された前記経路に関連する情報とに基づいて前記経路を検索する、
ことを特徴とする請求項１乃至５の何れか１項に記載の電子機器。
【請求項７】
前記第１の取得手段により取得された前記対象者の感情情報又はストレス情報、及び該感情情報又はストレス情報に対応する位置情報を記憶手段に記憶させる記憶制御手段を更に備え、
前記検索手段は、前記記憶手段に記憶された前記対象者の感情情報又はストレス情報、及び該感情情報又はストレス情報に対応する位置情報に基づいて所定の経路を検索する、
ことを特徴とする請求項１乃至６の何れか１項に記載の電子機器。
【請求項８】
対象者の感情情報又はストレス情報、及び該感情情報又はストレス情報に対応する位置情報を取得する第１の取得ステップと、
前記第１の取得ステップによって取得された前記感情情報又はストレス情報と前記位置情報とに基づいて、所定の経路を検索する検索ステップと、
を含むことを特徴とする経路検索方法。
【請求項９】
コンピュータを、
対象者の感情情報又はストレス情報、及び該感情情報又はストレス情報に対応する位置情報を取得する第１の取得手段、
前記第１の取得手段によって取得された前記感情情報又はストレス情報と前記位置情報とに基づいて、所定の経路を検索する検索手段、
として機能させることを特徴とするプログラム。
【発明の詳細な説明】
【技術分野】
【０００１】
本発明は、電子機器、経路検索方法及びプログラムに関する。
【背景技術】
【０００２】
従来より、ユーザの運転技量に応じた経路を検索する技術がある。このような技術において、ユーザの運転技量の習熟度に適した運転の難易度の経路探索を行う技術がある（特許文献１参照）。
【先行技術文献】
【特許文献】
【０００３】
【特許文献１】特開２００５−１０６４７５号公報
【発明の概要】
【発明が解決しようとする課題】
【０００４】
しかしながら、上述の先行文献ではユーザの運転技量に応じて移動可能な経路を検索する技術は開示されているが、運転技量と関連がなく、ユーザが通行を望まない経路を回避出来るものでなく、必ずしもユーザの満足度の高い経路を検索できるわけではなかった。
【０００５】
本発明は係る問題に鑑みてなされたものであり、ユーザの満足度の高い経路検索を行うことを目的とする。
【課題を解決するための手段】
【０００６】
上記目的を達成するため、本発明の一態様の電子機器は、
対象者の感情情報又はストレス情報、及び該感情情報又はストレス情報に対応する位置情報を取得する第１の取得手段と、
前記第１の取得手段によって取得された前記感情情報又はストレス情報と前記位置情報とに基づいて、所定の経路を検索する検索手段と、
を備えることを特徴とする。
【発明の効果】
【０００７】
本発明によれば、ユーザの満足度の高い経路検索を行うことができる。
【図面の簡単な説明】
【０００８】
【図１】本発明の一実施形態に係る携帯端末１のハードウェアの構成を示すブロック図である。
【図２】感情ポイントを説明するための模式図である。
【図３】図１の携帯端末１の機能的構成のうち、感情情報記録処理及び経路検索処理を実行するための機能的構成を示す機能ブロック図である。
【図４】図３の機能的構成を有する図１の携帯端末１が実行する感情情報記録処理の流れを説明するフローチャートである。
【図５】図３の機能的構成を有する図１の携帯端末１が実行する経路検索処理の流れを説明するフローチャートである。
【発明を実施するための形態】
【０００９】
以下、本発明の実施形態について、図面を用いて説明する。
【００１０】
図１は、本発明の一実施形態に係る携帯端末１のハードウェアの構成を示すブロック図である。
携帯端末１は、例えば、リスト型端末であるスマートウォッチとして構成される。
【００１１】
携帯端末１は、図１に示すように、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、センサ部１６、ＧＰＳ部１７と、撮像部１８と、入力部１９と、出力部２０と、記憶部２１と、通信部２２と、ドライブ２３と、を備えている。
【００１２】
ＣＰＵ１１は、ＲＯＭ１２に記録されているプログラム、又は、記憶部２１からＲＡＭ１３にロードされたプログラムに従って各種の処理を実行する。
【００１３】
ＲＡＭ１３には、ＣＰＵ１１が各種の処理を実行する上において必要なデータ等も適宜記憶される。
【００１４】
ＣＰＵ１１、ＲＯＭ１２及びＲＡＭ１３は、バス１４を介して相互に接続されている。このバス１４にはまた、入出力インターフェース１５も接続されている。入出力インターフェース１５には、センサ部１６、ＧＰＳ部１７、撮像部１８、入力部１９、出力部２０、記憶部２１、通信部２２及びドライブ２３が接続されている。
【００１５】
センサ部１６は、腕から心拍、体温、血圧等をセンシングしてセンサ情報として出力可能な各種センサにより構成される。
【００１６】
ＧＰＳ部１７は、ＧＰＳ（Ｇｌｏｂａｌ  Ｐｏｓｉｔｉｏｎｉｎｇ  Ｓｙｓｔｅｍ）受信アンテナを介して、複数のＧＰＳ用衛星からのＧＰＳ信号を受信し、受信したＧＰＳ信号に基づいて、自機の現在位置を示す緯度及び経度、高度のデータ（以下、「位置情報」という。）を取得する。
【００１７】
撮像部１８は、図示はしないが、光学レンズ部と、イメージセンサと、を備えている。
【００１８】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００１９】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１８の出力信号として出力される。
このような撮像部１８の出力信号を、以下、「撮像画像のデータ」と呼ぶ。撮像画像のデータは、ＣＰＵ１１や図示しない画像処理部等に適宜供給される。
【００２０】
入力部１９は、各種釦等で構成され、ユーザの指示操作に応じて各種情報を入力する。
出力部２０は、ディスプレイやスピーカ等で構成され、画像や音声を出力する。
なお、本実施形態の携帯端末１では、出力部２０にタッチ操作可能な入力部１９を重畳してタッチパネルを構成する。
【００２１】
記憶部２１は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部２２は、インターネットを含むネットワークを介して他の装置（図示せず）との間で行う通信を制御する。
【００２２】
ドライブ２３には、磁気ディスク、光ディスク、光磁気ディスク、或いは半導体メモリ等よりなる、リムーバブルメディア３１が適宜装着される。ドライブ２３によってリムーバブルメディア３１から読み出されたプログラムは、必要に応じて記憶部２１にインストールされる。また、リムーバブルメディア３１は、記憶部２１に記憶されている画像のデータ等の各種データも、記憶部２１と同様に記憶することができる。
【００２３】
このように構成される携帯端末１は、ユーザの感情のログを位置と対応付けて感情ポイントとして記録し、好適な経路を検索し、ユーザにとって好適な経路が自動的に検索することができる機能を有する。
ここで、感情ポイントとは、プラスの感情を抱いた位置（ポイント）、マイナスの感情を抱いた位置（ポイント）、ストレスが発生した位置（ポイント）である。以下、プラスの感情を抱いた位置を「プラスの感情ポイント」といい、マイナスの感情を抱いた位置、ストレスが発生した位置、マイナスの感情を抱いた位置であり、ストレスが発生した位置（マイナスの感情を抱いた／ストレスが発生したポイント）を「マイナスの感情ポイント」という。
【００２４】
図２は、感情ポイントを説明するための模式図である。なお、図中、道路において、楕円が感情ポイントになった部分を示し、楕円において点が密になるほど、マイナスの感情が増えていることを示す。また、星印は、ランドマークとなる建物等を示す。
図２（ａ）に示すように、移動している状態において、生体情報から導き出された感情を抱いた位置が感情ポイントとなる。結果として、「真っ直ぐな広い道」、「ランドマークが見える道」、「対抗するものがいない道」においてプラスの感情ポイントとなり、「細い道」、「曲がり角が多い道」、「合流が多い道」がマイナスの感情ポイント（マイナスの感情を抱いた／ストレスが発生したポイント）となっている。
【００２５】
上述したように単純に感情が生じたポイントを感情ポイントとしてもよいが、感情を抱いたポイントの感情を抱いた理由となる状況と対応付けるように構成することができる。
図２（ｂ）に示すように、例えば、所定のポイントでプラスの感情を抱いた場合には、当該ポイントをプラスの感情ポイントとすると共に、「道幅の広いまっすぐな道路」や「ランドマークが見える道」を状況として感情ポイントに対応付ける。
また、図２（ｃ）に示すように、所定のポイントでマイナスの感情を抱いた場合には、当該ポイントをプラスの感情ポイントとすると共に、「右に曲がる道路」を状況として感情ポイントに対応付ける。
また、上述したように感情ポイントに状況が対応付けられた場合、当該状況と同様の状況となるポイントについて、同様の感情が生じる蓋然性が高いために、当該ポイントを感情ポイントとして設定するように構成してもよい。例えば、「道幅の広いまっすぐな道路」があった場合に、プラスの感情ポイントとして設定したり、「右に曲がる道路」、詳細には、「対向する道路を横断して右折する道路」があった場合に、マイナスの感情ポイント（マイナスの感情を抱いた／ストレスが発生したポイント）として設定したりする。このように構成すると、実際にログを取得していないポイントにおいても、感情ポイントに割り当てることができ、より満足度の高い経路の選択を行うことができる。
【００２６】
なお、感情ポイントと対応付けられる状況は、道路の状況を例として説明したが、例えば、道路の形状、時間帯、周囲の景観等の種々の要素を含む。また、感情ポイントと対応付けられる状況は、道路の形状等の１つの要素だけでなく、道路の形状と時間帯のように、複数の要素を組み合わせて、１つの状況とするようにしてもよい。
【００２７】
また、プラスやマイナスの感情の有無のみで扱うのではなく、プラスやマイナスの感情にレベルを設けてもよい。このように構成すれば、よりレベルの高いプラスの感情ポイントを通過するようにすれば、より満足度の高い経路を検索することできたり、なるべく低いマイナスの感情ポイント（マイナスの感情を抱いた／ストレスが発生したポイント）を通過するようにすれば、満足度を下げずに、高い満足度の経路を検索したりすることができるようになる。また、さらに感情が生じなかったポイントを経路選択に影響を与えないポイントとしたり、マイナスの感情を軽減するポイントやプラスの感情を低下させるポイントとしたりして扱うように構成してもよい。
【００２８】
また、実際に取得した生体情報から得た感情から感情ポイントを設定せずに、経験則に基づいて、状況から感情を予想し、当該状況を構成するポイントに感情ポイントを設定するように構成してもよい。
具体的には、図２（ｃ）に示すように、反対方向から向かってくる道路を横断して道を曲がる場合に、対向するものを気にして曲がるタイミングを図ったり、背後から来るものを気にしたりする必要があるため、対象者はマイナスの感情を抱くと予測して、当該ポイントをマイナスの感情ポイント（マイナスの感情を抱いた／ストレスが発生したポイント）として設定するように構成してもよい。
なお、経路の検索に用いる情報として、感情やストレスに影響を与える原因となる道路の状況（通過のしやすさやしづらさ：道幅、道なり、対向の有無、見通しの有無等）や道路周囲の環境（建物や景観等）を経路に関する情報ともいう。
【００２９】
図３は、図１の携帯端末１の機能的構成のうち、感情情報記録処理及び経路検索処理を実行するための機能的構成を示す機能ブロック図である。
感情情報記録処理とは、センサ部１６から出力されるセンサ情報やユーザからの選択により感情情報を特定して、感情情報記憶部７１に記録する一連の処理をいう。
また、経路検索処理とは、設定された検索条件に基づいて、経路の検索を行う一連の処理をいう。
【００３０】
感情情報記録処理を実行する場合には、図３に示すように、ＣＰＵ１１において、感情情報記録処理部５１が機能する。
【００３１】
また、記憶部２１の一領域には、感情情報記憶部７１が設定される。
感情情報記憶部７１には、対象者の感情やストレスを含む情報（以下、「感情情報」という。）が記憶される。また、感情情報センサ情報取得時点での位置情報と時刻情報に対応付けられて感情情報記憶部７１に記憶される。また、感情情報において、喜びや感動といったポジティブな感情であった場合には、加点要素とし、怒りや悲しみやストレスのようなネガティブな感情の場合には減点要素とする。
【００３２】
感情情報記録処理部５１は、感情情報を記録する処理を実行する。
具体的には、感情情報記録処理部５１は、ユーザによって入力部１９を介して選択された感情を感情情報として特定したり、センサ部１６から取得したセンサ情報、撮像部１８等から取得した顔画像、入力部１９から取得した音声を解析して、感情情報を特定したりする。
【００３３】
センサ情報から感情を特定する場合、種々の方法（例えば、所謂、カオス解析等）を用いることができるが、例えば、所定の期間の時系列のセンサ情報（心拍波形、脈波波形、血圧変動波形等）を取得して、自律神経の交替リズムの変調の度合いから精神ストレスの度合い、心理免疫の度合い等で感情・情動の状態を判定する。なお、自律神経の交替リズムの変調の度合いは、周波数解析して、パワースペクトラム密度を算出する。算出したパワースペクトラムの周波数が所定の周波数（例えば、０．１Ｈｚ前後）で優勢の場合には、交感神経が優位な状態と判定し、それ以外の所定の周波数（例えば、０．３Ｈｚ前後）で優勢の場合には、副交感神経が優位な状態と判定する。判定した自律神経の状態と、生体の日周リズムの周期との比較から遅れや進み、ズレ等で自律神経の交替リズムの変調の度合いを判定する。
【００３４】
また、顔画像から感情を特定する場合、種々の方法を用いることができるが、例えば、既存の感情毎に撮影した顔画像との比較から感情を特定する画像マッチングを用いることができる。
【００３５】
また、音声から感情を特定する場合、種々の方法を用いることができるが、例えば、既存の感情毎に収録した音声で学習した感情識別用の識別器を用いることができる。
【００３６】
また、感情情報記録処理部５１は、センサ部１６等から特定された感情情報に対応するＧＰＳ部１７から取得した位置情報と時刻情報を取得する。
また、感情情報記録処理部５１は、記録処理を実行して、感情情報記憶部７１に、感情情報と、対応する位置情報及び時刻情報を記憶させる。
【００３７】
経路検索処理を実行する場合には、図３に示すように、ＣＰＵ１１において、経路設定処理部５２と、経路検索部５３と、出力制御部５４と、が機能する。
【００３８】
また、記憶部２１の一領域には、地図情報記憶部７２が設定される。
地図情報記憶部７２には、地図情報が記憶される。
【００３９】
経路設定処理部５２は、経路の設定に係る処理を実行する。
具体的には、経路設定処理部５２は、入力部１９に対する行き先設定操作により、検索条件を設定する。検索条件は、出発日時、出発地点（本実施形態においては、現在地）と目的地点、時間・感情等の優先条件、経由地点等を含む。
また、経路設定処理部５２は、感情情報記憶部７１から検索条件に合致する感情情報を取得する。具体的には、経路設定処理部５２は、感情情報記憶部７１から時間帯と、出発地点と目的地点間の位置にある感情情報を取得する。なお、経路設定処理部５２は、さらにユーザの行動情報も取得するように構成してもよい。
また、経路設定処理部５２は、ユーザによる入力部１９に対する経路選択操作によって、経路が選択されたか否かを判定する。
【００４０】
経路検索部５３は、地図情報記憶部７２に記憶される該当場所の地図情報を参照し、検索条件に合致する経路を検索する。経路検索部５３は、出発地点と目的地点間の経路を検索するが、検索に際して、各地点に対応する（ポイントの高い）感情情報を加味して経路を選択でき、また、総合的に移動距離が短くなる経路（移動距離優先）や移動時間が短くなる経路（移動時間優先）等の他の複数の条件を加味して経路を検索することができる。
即ち、経路検索部５３は、移動時間やポジティブな感情を引き起こす要因の多い経路を経験則となる感情情報から選択して様々なバランスで経路の検索を行う。
【００４１】
出力制御部５４は、画像を表示出力するように出力部２０を制御する。
具体的には、出力制御部５４は、検索した経路を地図上に表示出力するように出力部２０を制御する。
【００４２】
図４は、図３の機能的構成を有する図１の携帯端末１が実行する感情情報記録処理の流れを説明するフローチャートである。
感情情報記録処理は、ユーザによる入力部１９への感情情報記録処理開始の操作により開始される。
【００４３】
ステップＳ１１において、感情情報記録処理部５１は、センサ部１６から出力されるセンサ情報に変化があったか否かを判定する。
センサ情報に変化があった場合には、ステップＳ１１においてＹＥＳと判定されて、処理はステップＳ１５に進む。
センサ情報に変化がない場合には、ステップＳ１１においてＮＯと判定されて、処理はステップＳ１２に進む。
【００４４】
ステップＳ１２において、感情情報記録処理部５１は、ユーザからのマニュアル入力を検出したか否かを判定する。
マニュアル入力を検出しない場合には、ステップＳ１２においてＮＯと判定されて、処理はステップＳ１１に戻る。
マニュアル入力を検出した場合には、ステップＳ１２においてＹＥＳと判定されて、処理はステップＳ１３に進む。
【００４５】
ステップＳ１３において、感情情報記録処理部５１は、選択された感情を感情情報として特定する。その後、処理はステップＳ１５に進む。
【００４６】
ステップＳ１４において、感情情報記録処理部５１は、センサ情報を解析して、感情情報を特定する。
【００４７】
ステップＳ１５において、感情情報記録処理部５１は、センサ部１６等から特定された感情情報に対応するＧＰＳ部１７から取得した位置情報と時刻情報を取得する。
【００４８】
ステップＳ１６において、感情情報記録処理部５１は、感情情報の記録を行うか否かを判定する。
感情情報の記録を行わない場合には、ステップＳ１６においてＮＯと判定されて、処理はステップＳ１１に戻る。
感情情報の記録を行う場合には、ステップＳ１６においてＹＥＳと判定されて、処理はステップＳ１７に進む。
【００４９】
ステップＳ１７において、感情情報記録処理部５１は、記録処理を実行して、感情情報記憶部７１に、感情情報と、対応する位置情報及び時刻情報を記憶させる。その後、感情情報記録処理は、終了する。
【００５０】
図５は、図３の機能的構成を有する図１の携帯端末１が実行する経路検索処理の流れを説明するフローチャートである。
経路検索処理は、ユーザによる入力部１９への経路検索処理開始の操作により開始される。
【００５１】
ステップＳ３１において、経路設定処理部５２は、入力部１９に対する検索条件設定操作により、出発日時、出発地点（本実施形態においては、現在地）と目的地点、時間・感情等の優先条件、経由地点等の検索条件を設定する。
【００５２】
ステップＳ３２において、経路設定処理部５２は、感情情報記憶部７１から検索条件に合致する感情情報を取得する。具体的には、経路設定処理部５２は、感情情報記憶部７１から時間帯と、出発地点と目的地点間の位置にある感情情報を取得する。
【００５３】
ステップＳ３３において、経路検索部５３は、地図情報記憶部７２に記憶される該当場所の地図情報を参照し、検索条件に合致する経路を検索する。
【００５４】
ステップＳ３４において、出力制御部５４は、検索した経路を地図上に表示出力するように出力部２０を制御する。
【００５５】
ステップＳ３５において、経路設定処理部５２は、ユーザによる入力部１９に対する経路選択操作によって、経路が選択されたか否かを判定する。
経路が選択されなかった場合には、ステップＳ３５においてＮＯと判定されて、処理はステップＳ３２に戻り、再検索が行われる。
経路が選択された場合には、ステップＳ３５においてＹＥＳと判定されて、ルート検索処理が終了する。
【００５６】
従来より、例えば、一般ユーザの携帯電話のいくつかに、センサユニットを内蔵または接続して、ユーザがいる場所のそのときの（温度、湿度、気圧、降雨量等の）天気情報や、（花粉飛散量やＮＯｘ等の）環境情報などを計測して、日時、ＧＰＳの位置情報とともに、サーバに投稿送信すると、サーバは、受信したセンサデータを、位置情報や地域に対応付けて収集記録して、地域や地図に対応する環境データとして集計した結果を、その他の会員を含めて、複数の携帯電話端末に、配信するサービスなどが提案や提供されている技術がある。
このような技術では、気象観測所のような大掛かりな設備や観測網、人員などを確保しなくても、様々な場所に分散して居住や活動している一般の多数ユーザによるボランティア的行動を活用して、リアルタイムな計測・集計システムや広範な観測網を、アドホックに（一時的に）、低コストで構築できる利点がある。また、ボランティアに依存しているので、必ずしも全域でデータが得られなかったり、特定地域に偏っていたり、天気や放射能等の関心の高い環境情報以外では、注目や協力が得られにくかったりするという難点があった。
一方で、リスト端末やフィットネスウォッチ等で、内蔵や接続の心拍（脈拍）センサで、心拍数を測るとともに、心電波（脈波）のピーク間隔の遅延ゆらぎ成分の周波数特性などから、自律神経バランスの変調や心理的ストレスの度合などを検出して表示する技術がある。
しかし、心理的ストレスの度合の多少、自律神経リズムの変調があると分っても、生活態度や習慣を改善しなければと分っていても、その対処や改善が難しいという現実があった。例えば、毎日残業続きで、仕事中はストレスがいつも多く、睡眠時間も不足、生活リズムや食事時間も乱れ、運動不足となる等々のいつも同じような生活をしている場合等では、計測結果はさして変わらず、「今日もストレス度合が高いです。」と報知されても、ユーザ自体は自覚症状があり、確認することによってさらに憂鬱になってしまう。
【００５７】
そこで、携帯端末１では、リスト端末の心拍（脈拍）センサなど生体センサからの、心電波形のピーク波の間隔時間のゆらぎや周波数特性等で、心理的ストレスの度合や、自律神経バランスの変調、睡眠の深さなどを検出するとともに、所定以上ストレスを検出した場合に、計測した場所の位置と日時を、生活ログに収集記録するように構成する。
携帯端末１では、計測した場所や地点、もしくは、時間帯、行っていた行動の種別、面会や会話していた人物等と対応付けて、集計グラフ表示やマップ表示することができる。
このため、ユーザは、どの地域や場所で、どの季節やどの時間帯に、どんな行動や仕事をしているときに、どの人といるときに、心理的ストレスを感じていたのかなどが一目でわかるので、心理的ストレスや自律神経失調などへの対処方法や回避策、軽減策が具体的に検討することができるようになる。即ち、携帯端末１においては、心拍センサなど生体センサ情報を利用して、自律神経リズムの変調の度合い、心理的ストレスの度合などを推測するだけでなく、その原因である可能性ある場所や、行動の種類、仕事、面会者等を推定できる。
それにより、携帯端末１においては、ユーザが自律神経の変調や心理的ストレスに対処方法を具体的に検討することができるという利点がある。
また、同様に、その他のセンサ情報や環境情報について、地域別の強度分布などを知ると共に、それが自分の行動や行き先に同影響するのかを、推測できるように、また、近い将来や、他の時刻、経路上の他の地点についても、予測できるように構成できるため、予定行動の日時や、経路上の地点への到達に対応して、いつどこで、リスクが高くなるのかを確認することができる。
これにより、携帯端末１においては、経路検索においてリスクを考慮した回避経路の検索や、対処方法等を具体的に検討することができるという利点がある。
即ち、携帯端末１では、リスト端末の心拍（脈拍）センサなど生体センサにより、心電波形のピーク波の間隔時間のゆらぎや周波数特性等から、心理的ストレスの度合や、自律神経バランスの変調、睡眠の深さなどを検出するとともに、所定以上ストレスを検出した場合に、計測した場所の位置と日時を、生活ログに収集記録する。そのときいた場所や地点、もしくは時間帯、行っていた行動の種別、面会や会話していた人物等と対応付けて、集計グラフ表示やマップ表示する。どの地域や場所で、どの季節やどの時間帯に、どんな行動や仕事をしているときに、どの人といるときに、心理ストレスを感じていたのかなどが一目でわかるので、ストレスなどへの対処方法や回避策、軽減策が検討できる。
【００５８】
以上のように構成される携帯端末１は、経路設定処理部５２と、経路検索部５３と、を備える。
経路設定処理部５２は、対象者の感情情報又はストレス情報、及び該感情情報又はストレス情報に対応する位置情報を取得する。
経路設定処理部５２は、感情情報に対応する位置情報を取得する。
経路検索部５３は、経路設定処理部５２によって取得された感情情報又はストレス情報と、位置情報とに基づいて、所定の経路を検索する。
これにより、携帯端末１においては、ユーザの感情又はストレス情報に基づいたユーザの満足度が高まるような経路を検索することができる。
【００５９】
経路設定処理部５２は、センサ部１６から取得した情報に基づいて感情情報又はストレス情報を取得する。
これにより、携帯端末１においては、センシングされた情報に基づいて感情情報を取得するために、実際の無意識的なユーザの感情に基づいているために、より満足度の高い経路の探索を行うことができる。
【００６０】
経路設定処理部５２は、感情情報又はストレス情報、及び位置情報のいずれかに対応する時刻（取得タイミング情報）を取得する。
経路検索部５３は、経路設定処理部５２によって取得された感情情報又はストレス情報と、位置情報と、対応する時刻（取得タイミング情報）とに基づいて、所定の経路を検索する。
これにより、携帯端末１においては、感情情報又はストレス情報、及び位置情報のいずれかに対応する時刻を取得することができ、同一のタイミングでの感情情報又はストレス情報、及び位置情報に基づいて、経路の探索を行うことができる。
【００６１】
経路設定処理部５２は、出発地点、及び目的地点を取得する。
経路検索部５３は、感情情報又はストレス情報と、位置情報と、出発地点、及び目的地点とに基づいて、所定の経路を検索する。
これにより、携帯端末１においては、出発地点から目的地点までのより満足度の高い経路の探索を行うことができる。
【００６２】
経路検索部５３は、出発地点、及び目的地点に基づいて移動時間を算出する。
経路検索部５３は、取得された感情情報又はストレス情報と、位置情報と、移動時間とに基づいて、所定の経路を検索する。
これにより、携帯端末１においては、移動時間を考慮して、より満足度の高い経路の探索を行うことができる。
【００６３】
経路設定処理部５２は、経路に関連する情報を取得する。経路検索部５３は、取得された感情情報又はストレス情報と、位置情報と、経路に関連する情報とに基づいて経路を検索する。
これにより、携帯端末１においては、例えば、道路の状況や、道路の周囲の建物や景観の状況等を加味することができ、より満足度の高い経路の探索を行うことができる。
【００６４】
対象者の感情情報又はストレス情報、及び該感情情報又はストレス情報に対応する位置情報を記憶する感情情報記憶部７１を備える。
経路検索部５３は、感情情報記憶部７１に記憶された対象者の感情情報又はストレス情報、及び該感情情報又はストレス情報に対応する位置情報に基づいて所定の経路を検索する。
これにより、携帯端末１においては、感情を左右した位置に基づくため、より詳細な経路の探索を可能にすることができ、より満足度の高い経路の探索を行うことができる。
【００６５】
なお、本発明は、上述の実施形態に限定されるものではなく、本発明の目的を達成できる範囲での変形、改良等は本発明に含まれるものである。
【００６６】
上述の実施形態では、例えば、ポジティブな感情ログがある場所を優先的に通過するように、移動時間と、感情情報における感情の度合いの高さを優先して、経路を検索するように構成することができる。
これにより、携帯端末１においては、ユーザにおける良好な感情の経路を優先して選択することができ、よりユーザの満足度が高まるような経路を検索することができる。
【００６７】
また、上述の実施形態では、例えば、夜景が綺麗・夕日が綺麗なスポット等を通過するように、感情の度合いの高さの順序を感情情報が取得された時点の時刻に基づいて選択するように構成することができる。
これにより、携帯端末１においては、感情を左右した時間も考慮に入れるために、よりユーザの満足度が高まるような経路を検索することができる。
【００６８】
また、上述の実施形態では、生体情報（または、音声情報、画像情報）から感情情報を識別して、識別時の位置情報と対応付けた感情の種類と位置情報対応のライフログとして記録するように構成してもよい。
また、この場合、個人のライフログを転送共有して利用したり、運転する車両や車載端末／ナビ装置等と連携すると、過去の感情情報とその位置情報に基づいて、目的地や経路のガイド、車両の操作や運転操作、安全運転をガイドしたりする等、ナビゲーションやアドバイス、警告などを行なうように構成してもよい。
【００６９】
また、上述の実施形態では、ライフログの統計や頻度分布を参照して、例えば、アレルギーや発作が起こった場所、体調が悪化した場所、失敗・ミスを起こした場所等のネガティブな感情が起きた場所は、目的地や経路としてはできる限り回避するように、ガイドや推奨するように構成してもよい。
また、逆に、例えば、快調だった場所、発作が起こらなかった場所、良いことや感動するモノや出来事があった場所、成功した場所等のポジティブな感情が起きた場所は、目的地や経路としてできる限り優先して推奨するように構成してもよい。
【００７０】
また、上述の実施形態では、自転車や車のナビゲーションとして利用する場合には、例えば、車の運転操作や車の状態、道路の状態等の移動の状態に応じて、場所毎の感情ライフログの履歴や頻度分布を参照して、当該ネガティブ感情の頻度の多い目的地や経路、地点（交差点、曲がり角、カーブ、インターチェンジ）等に近づいたら、できる限り回避するようにガイドしたり、その時の行動や必要となる運転項目等を参照して、相当する運転操作等が成功や安全運転になるようにガイダンスしたり、（他の場所以上に）十分気をつけるように注意警告したりするように構成してもよい。なお、車両のナビゲーションとして利用する場合には、経路に基づいて車両を制御するように構成してもよい。
【００７１】
また、上述の実施形態では、生体センサからの生体情報やユーザの任意の入力に基づいて感情情報を取得するように構成したが、これに限られず、例えば、音声や撮影した顔の画像から感情情報を取得するように構成してもよい。
【００７２】
また、上述の実施形態では、感情情報に基づいて経路の検索をして検索結果を提示するように構成したが、例えば、単に地図において感情ポイントをピンやアイコン等で識別表示するようにしたり、所定の場所における感情情報の履歴や自分の過去の感情情報の履歴を時系列のグラフで表示したり、マイナスの感情ポイント（マイナスの感情を抱いた／ストレスが発生したポイント）において感情を良好にさせるアドバイスをしたりするように構成してもよい。
また、地図において現在地を表示する場合には、例えば、これから向かう先の感情ポイントを単に表示したり、プラスの感情ポイント／マイナスの感情ポイント（マイナスの感情を抱いた／ストレスが発生したポイント）のみを表示したり、マイナスの感情ポイント（マイナスの感情を抱いた／ストレスが発生したポイント）であれば、アレルギー、トラブル、ミス等の発生を考慮して、回避を促すアドバイスをしたり、実際に当該感情ポイントに差し掛かってしまった場合には、注意をするアドバイスや対処をするためのヒント等のアドバイスを音声や表示により行う。また、これから向かう先にプラスの感情ポイントがある場合には、プラスの感情ポイントを通過するようにガイドしたり、プラスの感情ポイントでの滞在を促したりする。
【００７３】
また、上述の実施形態では、単にプラス（ポジティブ）／マイナス（ネガティブ）の感情として扱ってもよいし、多段的にプラス／マイナスの感情として扱ってもよいし、感情の種類を詳細に分けて、例えば、不快・快・恐怖・悲しみ・満足・嫌悪・驚き・幸福・退屈・怒り・喜び・中立等の種類に分けて、さらに種類毎に多段的に扱うようにしてもよい。また、地図上に表示する場合には、感情の種類や程度に応じて、ピンやアイコンの形状や色を変更する。
【００７４】
また、上述の実施形態では、利用者本人の生体情報から導き出される感情情報を利用するように構成したが、他者の感情情報を利用するように構成してもよい。この場合、利用者本人と年齢・性別等の属性が近いものから取得した感情情報を利用することで、より利用者の感情に近い利用結果を得ることができる。
【００７５】
また、上述の実施形態では、検索された経路を移動中にリアルタイムに取得される生体情報を用いて、感情ポイントについて再評価を行って、経路の再検索を随時行うように構成してもよい。
【００７６】
また、上述の実施形態では、現在の感情に基づいて、経路を検索するように構成してもよい。
具体的には、現在の感情がマイナスである場合には、プラスの感情ポイントを積極的に通るようにして感情のさらなる低下やプラス方向の感情を抱くようになる経路を検索したり、マイナスの感情によるトラブルを生じさせなかったりするような経路を検索する。
また、現在の感情がプラスである場合には、多少のマイナスの感情ポイント（マイナスの感情を抱いた／ストレスが発生したポイント）の箇所も経路選択の範囲に入れて、時間優先等の経路の検索を行ったり、さらにプラスの感情となるようにプラスの度合いの高い感情ポイントを通過したりするような経路の検索を行う。
【００７７】
また、上述の実施形態では、これからの予定（スケジュール情報）により生じうる感情を考慮して、経路の検索を行うように構成してもよい。具体的には、例えば、マイナスの感情が発生することが予測されるような嫌な予定がある場合、楽しい経路を優先する検索を行う。
【００７８】
また、上述の実施形態では、外部サーバで処理を行い、携帯端末１では生体情報の取得や検索結果の表示等の出力のみを行うように構成してもよい。
【００７９】
また、上述の実施形態では、さらに、出発地点、目的地点、ユーザの周囲の気温、湿度等の環境情報を取得するように構成する。取得した環境情報を解析してユーザの感情やストレスに影響を与える状態かを判断して、当該状態を加味して経路の検索を行う。例えば、出発地点、目的地点又はユーザの周囲の環境が高温多湿だった場合、ユーザの感情が不快になることやストレスもかかることも経験的に推測できる。この場合、経路の検索において、不快な感情やストレスが軽減される経路を積極的に検索する。また、出発地点、目的地点又はユーザの周囲の環境が快適な状態である場合には、多少、マイナスの感情を抱く経路やストレスがかかる経路を通過して、時間や他の目的を優先する経路の検索を行う。
【００８０】
また、上述の実施形態では、地図情報に関連付けられた位置情報に基づいて、感情情報を予め対応付けるように構成してもよい。
【００８１】
また、上述の実施形態では、センサ部１６から生体情報を取得するように構成したが、例えば、外部機器からのセンサ情報から生体情報を取得するように構成したり、外部機器から生体情報を取得したりするように構成してもよい。
【００８２】
また、上述の実施形態では、本発明が適用される携帯端末１は、スマートウォッチを例として説明したが、特にこれに限定されない。
例えば、本発明は、感情情報記録処理及び経路検索処理機能を有する電子機器一般に適用することができる。具体的には、例えば、本発明は、ノート型のパーソナルコンピュータ、プリンタ、テレビジョン受像機、ビデオカメラ、デジタルカメラ、携帯型ナビゲーション装置、携帯電話機、スマートフォン、ポータブルゲーム機等に適用可能である。
【００８３】
上述した一連の処理は、ハードウェアにより実行させることもできるし、ソフトウェアにより実行させることもできる。
換言すると、図３の機能的構成は例示に過ぎず、特に限定されない。即ち、上述した一連の処理を全体として実行できる機能が携帯端末１に備えられていれば足り、この機能を実現するためにどのような機能ブロックを用いるのかは特に図３の例に限定されない。
また、１つの機能ブロックは、ハードウェア単体で構成してもよいし、ソフトウェア単体で構成してもよいし、それらの組み合わせで構成してもよい。
本実施形態における機能的構成は、演算処理を実行するプロセッサによって実現され、本実施形態に用いることが可能なプロセッサには、シングルプロセッサ、マルチプロセッサ及びマルチコアプロセッサ等の各種処理装置単体によって構成されるものの他、これら各種処理装置と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ‐Ｐｒｏｇｒａｍｍａｂｌｅ  Ｇａｔｅ  Ａｒｒａｙ）等の処理回路とが組み合わせられたものを含む。
【００８４】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００８５】
このようなプログラムを含む記録媒体は、ユーザにプログラムを提供するために装置本体とは別に配布される図１のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１２や、図１の記憶部２１に含まれるハードディスク等で構成される。
【００８６】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
【００８７】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【００８８】
以下に、本願の出願当初の特許請求の範囲に記載された発明を付記する。
［付記１］
対象者の感情情報又はストレス情報、及び該感情情報又はストレス情報に対応する位置情報を取得する第１の取得手段と、
前記第１の取得手段によって取得された前記感情情報又はストレス情報と前記位置情報とに基づいて、所定の経路を検索する検索手段と、
を備えることを特徴とする電子機器。
［付記２］
前記第１の取得手段は、センサから取得したセンサ情報に基づいて前記感情情報又はストレス情報を取得する、
ことを特徴とする付記１に記載の電子機器。
［付記３］
前記感情情報又はストレス情報、及び前記位置情報のいずれかに対応する取得タイミング情報を取得する第２の取得手段を更に備え、
前記検索手段は、前記第１の取得手段によって取得された前記感情情報又はストレス情報と、前記位置情報と、前記第２の取得手段により取得された前記取得タイミング情報とに基づいて、所定の経路を検索する、
ことを特徴とする付記１又は２に記載の電子機器。
［付記４］
出発地点、及び目的地点を取得する第３の取得手段と、
前記検索手段は、前記第１の取得手段によって取得された前記感情情報又はストレス情報と、前記位置情報と、出発地点、及び目的地点とに基づいて、前記所定の経路を検索する、
ことを特徴とする付記１乃至３の何れか１つに記載の電子機器。
［付記５］
前記第３の取得手段により取得される出発地点、及び目的地点に基づいて移動時間を算出する算出手段を更に備え、
前記検索手段は、前記第１の取得手段によって取得された前記感情情報又はストレス情報と、前記位置情報と、前記算出手段により算出された前記移動時間とに基づいて、前記所定の経路を検索する、
ことを特徴とする付記４に記載の電子機器。
［付記６］
経路に関連する情報を取得する第４の取得手段を更に備え、
前記検索手段は、前記第１の取得手段によって取得された前記感情情報又はストレス情報と、前記位置情報と、前記第４の取得手段により取得された前記経路に関連する情報とに基づいて前記経路を検索する、
ことを特徴とする付記１乃至５の何れか１項に記載の電子機器。
［付記７］
前記第１の取得手段により取得された前記対象者の感情情報又はストレス情報、及び該感情情報又はストレス情報に対応する位置情報を記憶手段に記憶させる記憶制御手段を更に備え、
前記検索手段は、前記記憶手段に記憶された前記対象者の感情情報又はストレス情報、及び該感情情報又はストレス情報に対応する位置情報に基づいて所定の経路を検索する、
ことを特徴とする付記１乃至６の何れか１つに記載の電子機器。
［付記８］
対象者の感情情報又はストレス情報、及び該感情情報又はストレス情報に対応する位置情報を取得する第１の取得ステップと、
前記第１の取得ステップによって取得された前記感情情報又はストレス情報と前記位置情報とに基づいて、所定の経路を検索する検索ステップと、
を含むことを特徴とする経路検索方法。
［付記９］
コンピュータを、
対象者の感情情報又はストレス情報、及び該感情情報又はストレス情報に対応する位置情報を取得する第１の取得手段、
前記第１の取得手段によって取得された前記感情情報又はストレス情報と前記位置情報とに基づいて、所定の経路を検索する検索手段、
として機能させることを特徴とするプログラム。
【符号の説明】
【００８９】
１・・・携帯端末，１１・・・ＣＰＵ，１２・・・ＲＯＭ，１３・・・ＲＡＭ，１４・・・バス，１５・・・入出力インターフェース，１６・・・センサ部，１７・・・ＧＰＳ部，１８・・・撮像部，１９・・・入力部，２０・・・出力部，２１・・・記憶部，２２・・・通信部，２３・・・ドライブ，３１・・・リムーバブルメディア，５１・・・感情情報記録処理部，５２・・・経路設定処理部，５３・・・経路検索部，５４・・・出力制御部，７１・・・感情情報記憶部，７２・・・地図情報記憶部
【図１】
2017181449.tif 000003
【図２】
2017181449.tif 000004
【図３】
2017181449.tif 000005
【図４】
2017181449.tif 000006
【図５】
2017181449.tif 000007